(57)【要約】【課題】容器のマウンテンカップに取り付けられたカバー体の回動を防止する。【解決手段】マウンテンカップ11の外周面にカバー体12の回動防止用の横型凹状部11ｂを形成し、カバー体12の内周面には当該凹状部と係合する横型凸状部12ｂを、マウンテンカップ取付用の間欠突状部12ａとは別に設けた。間欠突状部12ａと凹部11ａとの係合および横型凸状部12ｂと横型凹状部11ｂとの係合により、カバー体12が不用意にマウンテンカップ11から外れることがなく、キャップ13の着脱時の回動操作にともなうカバー体12のマウンテンカップ11に対する回動も防止される。横型凹状部に代えて縦型凹状部を形成したマウンテンカップおよび当該縦型凹状部に係合する縦型凸状部を設けたカバー体や、マウンテンカップの外周面に、既製のカバー体の内周面との間の摩擦力を大きくするローレット加工を施して当該カバー体の回動を防止した回動防止機構も開示している。【選択図】図２
2005096859.tif 000002
【特許請求の範囲】
【請求項１】
内容物放出容器に固定されるマウンテンカップと、これに取り付けられるカバー体との間の回動を防止するためのカバー体回動防止機構において、
前記マウンテンカップおよび前記カバー体のそれぞれに、この両者を一体化した状態で互いに係合する回動防止部を設け、
前記カバー体の外周面に、当該カバー体に対するキャップの回動着脱動作に際して当該キャップをその保持位置と取外し位置との間で案内する、ガイド部を形成した、
ことを特徴とする内容物放出容器のカバー体回動防止機構。
【請求項２】
前記カバー体に、前記保持位置に設定されたキャップが上方向に取り外されることを防止する、規制部を形成した、
ことを特徴とする請求項１記載の内容物放出容器のカバー体回動防止機構。
【請求項３】
内容物放出容器に固定されるマウンテンカップと、これに取り付けられるカバー体との間の回動を防止するためのカバー体回動防止機構において、
前記マウンテンカップの外周面に、回動防止のための変更を加えていない既製の前記カバー体の内周面と摩擦係合する、ローレット加工部分を形成した、
ことを特徴とする内容物放出容器のカバー体回動防止機構。
【請求項４】
請求項１，２，３ 記載のいずれかの内容物放出用容器のカバー体回動防止機構を備え、かつ、放出用ガスおよび内容物を収容したエアゾール式製品。
【発明の詳細な説明】
【技術分野】
【０００１】
本発明は、エアゾール式やポンプ式の内容物放出容器などで用いられるカバー体回動防止機構に関し、特にキャップをカバー体に対して回動して着脱する際の、カバー体回動防止機構に関する。
【０００２】
また、マウンテンカップの外周面にローレット加工部分を形成して、既製のカバー体の内周面と摩擦係合させたカバー体回動防止機構に関する。
【０００３】
なお、本発明は、
・容器本体内部に予め内容物とともに充填してある放出用ガスの作用により、当該内容物を外部空間に放出するエアゾール式、
・貯留空間部の入口側の流入弁および出口側の吐き出し弁の作用により、容器本体の内容物をいったん当該貯留空間部に取り込んだ上でそれを外部空間に放出するポンプ式、
・利用者が容器本体の周面部分などを例えば押圧することにより内容物収納空間の容積が小さくなってその中の内容物が外部空間に放出される押出式、
の各製品に用いることができる。
【背景技術】
【０００４】
ヘアブラシなどのアクチュエーターを備え、容器のマウンテンカップに取り付けられるカバー体が、アクチュエーターの使用時に回動するのを防止した回動防止機構が開示されている（例えば、特許文献１参照）。
【０００５】
マウンテンカップの外周面には一周に渡って回動防止用の凹状部が形成され、カバー体にはこの凹状部と係合する凸状部が設けられている。
【０００６】
カバー体をマウンテンカップに取り付けると、凸状部と凹状部が係合するので、例えばヘアブラシ（アクチュエーター）を頭皮に押し付けるなどして使用してもカバー体がマウンテンカップに対して回動することがない。
【特許文献１】特開平１１−１０５９５３号公報
【発明の開示】
【発明が解決しようとする課題】
【０００７】
このように従来の回動防止機構は、マウンテンカップおよびカバー体にそれぞれ回動防止用の凹状部および凸状部を設け、カバー体に取り付けられるアクチュエーターの使用時にカバー体の回動を防止するものであり、キャップをカバー体に対して回動することにより着脱するときの、カバー体の回動防止を図ったものではなかった。
【０００８】
そこで、本発明ではカバー体に対する回動により着脱されるキャップの回動操作時の、カバー体の回動防止を図ることを目的とする。
【０００９】
また、マウンテンカップの外周面に、既製のカバー体の内周面と摩擦係合するローレット加工部分を形成して、カバー体回動防止機構の新たな態様を提案するとともに、その製造工程の簡単化を図ることを目的とする。
【課題を解決するための手段】
【００１０】
本発明は、この課題を次にようにして解決する。
（１） 内容物放出容器（例えば後述の容器本体７０）に固定されるマウンテンカップ（例えば後述のマウンテンカップ１１，２１）と、これに取り付けられるカバー体（例えば後述のカバー体１２，２２，４１，５１）との間の回動を防止するためのカバー体回動防止機構において、前記マウンテンカップおよび前記カバー体のそれぞれに、この両者を一体化した状態で互いに係合する回動防止部（例えば後述のマウンテンカップ１１の横型凹状部１１ｂとカバー体１２の横型凸状部１２ｂ，後述のマウンテンカップ２１の縦型凹状部２１ｂとカバー体１２の縦型凸状部２２ｂ，後述のマウンテンカップ１１の横型凹状部１１ｂとカバー体４１の横型凸状部４１ｂ，後述のマウンテンカップ２１の縦型凹状部２１ｂとカバー体５１の縦型凸状部５１ｂ）を設け、前記カバー体の外周面に、当該カバー体に対するキャップの回動着脱動作に際して当該キャップをその保持位置（例えば後述の幅広溝部１２ｅ，２２ｅ）と取外し位置（例えば後述の曲面部１２ｈ，２２ｈ）との間で案内する、ガイド部（例えば後述のスロープ部分１２ｃ，２２ｃと幅狭溝部１２ｄ，２２ｄ）を形成する。
（２）上記（１）において、前記カバー体に、前記保持位置に設定されたキャップ（例えば後述のキャップ１３）が上方向に取り外されることを防止する、規制部（例えば後述の段部１２ｆ，２２ｆ）を形成する。
（３）内容物放出容器（例えば後述の容器本体７０）に固定されるマウンテンカップ（例えば後述のマウンテンカップ３１，６１）と、これに取り付けられるカバー体（例えば後述のカバー体３２）との間の回動を防止するためのカバー体回動防止機構において、前記マウンテンカップの外周面に、回動防止のための変更を加えていない既製の前記カバー体の内周面（例えば後述の内周面３２ｂ）と摩擦係合する、ローレット加工部分（例えば後述のローレット加工３１ｂ，６１ｂ）を形成する。
（４）本発明は、以上の特徴を持つ内容物放出用容器のカバー体回動防止機構を対象とするとともに、これらいずれかの内容物放出用容器のカバー体回動防止機構を備えたエアゾール式製品，ポンプ式製品，押出式製品も対象にしている。
【発明の効果】
【００１１】
本発明では、このように、マウンテンカップおよびカバー体のそれぞれに、この両者を一体化した状態で互いに係合する回動防止部を設け、カバー体の外周面に、回動によるキャップの着脱動作を案内するガイド部を形成したので、キャップをその着脱時にカバー体に対して回動する場合にもカバー体は回動することがなく、使い勝手の良い回動防止機構を提供することができる。
【００１２】
また、カバー体には装着後のキャップが上方向に取り外されることを防止する規制部を形成したので、キャップを確実にカバー体に取り付けることができる。
【００１３】
また、マウンテンカップの外周面に、既製のカバー体の内周面と摩擦係合するローレット加工部分を形成したので、カバー体回動防止機構の新たな態様を提案でき、その製造工程の簡単化を図ることができる。
【発明を実施するための最良の形態】
【００１４】
図１乃至図５を用いて本発明を実施するための最良の形態を説明する。
図１はカバー体の回動防止機構（その１）であり、（ａ）は回動防止用の横型凹状部およびこれに係合する横型凸状部を設けたマウンテンカップとカバー体の説明図、（ｂ）は横型凹状部を形成したマウンテンカップなどの断面図、
図２は図１のカバー体にキャップを取り付けるときの説明図、
図３はカバー体の回動防止機構（その２）であり、（ａ）は回動防止用の縦型凹状部およびこれに係合する縦型凸状部を設けたマウンテンカップとカバー体の説明図、（ｂ）は縦型凹状部を形成したマウンテンカップなどの断面図、
図４はカバー体の回動防止機構（その３）であり、外周面にクロス方向のローレット加工を施したマウンテンカップと既存のカバー体の説明図、
図５は回動防止用のカバー体とマウンテンカップの他の例であり、（ａ）は既存のマウンテンカップ係合用の連続突状部の上側に回動防止用の横型凸状部を設けたカバー体の説明図、（ｂ）は既存のマウンテンカップ係合用の連続突状部の上側に回動防止用の縦型凸状部を設けたカバー体の説明図、（ｃ）は外周面に単一方向のローレット加工を施したマウンテンカップの説明図、をそれぞれ示している。
【００１５】
これらの図において、
１１は後述のカバー体１２の回動を防止する機能を備えたマウンテンカップ，１１ａは当該マウンテンカップの下側部分に形成され後述のカバー体１２を取り付けるための既存の凹部，１１ｂは後述のカバー体１２の横型凸状部１２ｂと係合して回動を防止する横型凹状部，
１２はマウンテンカップ１１に対する回動防止部設けたカバー体（その１），１２ａはマウンテンカップ１１の凹部１１ａに取り付けるための既存の間欠突状部，１２ｂはマウンテンカップ１１の横型凹状部１１ｂと係合して回動を防止する横型凸状部（回動防止部），１２ｃは後述のキャップ１３の取付けおよび取り外しを円滑に行うためのスロープ部分，１２ｄは当該スロープ部分に続き後述の円形凸部１３ａの外径よりわずかに狭い態様で設けた幅狭溝部，１２ｅは当該幅狭溝部に続く幅広溝部，１２ｆは当該幅広溝部上側にあって後述のキャップ１３の外れ防止のための段部，１２ｇは当該スロープ部分に続く水平部分，１２ｈは当該水平部分同士の間の相対的に凹状の曲面部，
１３はカバー体１２に対して回動操作することにより取付けおよび取外しされるキャップ，１３ａはキャップ装着時の回動操作にともなってカバー体１２のスロープ部分１２ｃに案内されてキャップ取付時にはカバー体１２の幅広溝部１２ｄに係止する円形凸部，
２１は後述のカバー体２２の回動を防止する機能を備えたマウンテンカップ，２１ａは後述のカバー体２２を取り付けるための既存の凹部，２１ｂは後述のカバー体の縦型凸状部２２ｂと係合して回動を防止する縦型凹状部，
２２はマウンテンカップ２１に対する回動防止部を設けたカバー体（その１），２２ａはマウンテンカップ２１の凹部２１ａに係合するための既存の間欠突状部，２２ｂはマウンテンカップ２１の縦型凹状部２１ｂと係合して回動を防止する縦型凸状部（回動防止部），２２ｃはキャップ１３の取付けおよび取り外しを円滑に行うためのスロープ部分，２２ｄは当該スロープ部分に続き円形凸部１３ａの外径よりわずかに狭い態様で設けた幅狭溝部，２２ｅは当該幅狭溝部に続く幅広溝部，２２ｆは当該幅広溝部上側にあってキャップ１３の外れ防止のための段部，２２ｇは当該スロープ部分に続く水平部分，２２ｈは当該水平部分同士の間の相対的に凹状の曲面部，
３１は後述のカバー体３２の回動を防止する機能を備えたマウンテンカップ（その１），３１ａは後述のカバー体３２を取り付けるための既存の凹部，３１ｂは当該マウンテンカップの外周面にクロスの態様で形成されたカバー体回動防止用のローレット加工，
３２は回動防止部を特に設けていない既存のカバー体，３２ａはマウンテンカップ３１の凹部３１ａに係合するための連続突状部，３２ｂは当該カバー体の内周面，
４１はマウンテンカップ１１に対する回動防止部を設けたカバー体（その２），４１ａはマウンテンカップ取付用の既存の連続突状部，４１ｂは当該連続突状部の上側に設けた回動防止用の横型凸状部（回動防止部），
５１はマウンテンカップ２１に対する回動防止用の縦型凸状部を既存の連続突状部の上側に設けたカバー体（その２），５１ａはマウンテンカップ取付用の既存の連続突状部，５１ｂは当該連続突状部の上側に設けた回動防止用の横型凸状部（回動防止部），
６１は既存のカバー体３２の回動を防止する機能を備えたマウンテンカップ（その２），６１ａは既存のカバー体３２を取り付けるための既存の凹部，３１ｂは当該マウンテンカップの外周面単一方向の態様で形成されたカバー体回動防止用のローレット加工，
７０は容器本体，
７１はステム，
７２は操作釦，
をそれぞれ示している。
【００１６】
図１乃至図３の回動防止機構は、キャップ１３の取付時および取外し時の回動操作にともなうカバー体１２，２２の供回りを防止したものであり、その主な特徴は、
・マウンテンカップ１１，２１の外周面にカバー体１２，２２の回動防止用の横型や縦型の凹状部１１ｂ，２１ｂを形成し、
・カバー体１２，２２の内周面に当該凹状部と係合する横型や縦型の凸状部１２ｂ，２２ｂを、マウンテンカップ取付用の既存の間欠突状部１２ａ，２２ａとは別に設けた、
ことである。
【００１７】
なお、これらのカバー体１２，２２の外周面には、回動操作によりキャップ１３をカバー体に着脱自在に取り付けるためのスロープ部分１２ｃ，２２ｃや、当該回動操作によりカバー体１２，２２に取り付けられたキャップ１３が上方向に外れることを防止するための段部１２ｆ，２２ｆを持つ幅広溝部１２ｅ，２２ｅなどが、一周に渡って等間隔で設けられている。
【００１８】
図１の回動防止機構では、マウンテンカップ１１の外周面に横型凹状部１１ｂを形成し、カバー体１２の内周面には当該横型凹状部と係合する横型凸状部１２ｂを間欠突状部１２ａ同士の間に位置する形で設けている。
【００１９】
そして、カバー体１２をマウンテンカップ１１に取り付けた定常状態では、
・間欠突状部１２ａが下側凹部１１ａに入り込み、
・横型凸状部１２ｂが横型凹状部１１ｂに入り込んで、
一体化する。
【００２０】
これにより、カバー体１２が不用意にマウンテンカップ１１から外れることがなく、またカバー体のマウンテンカップ１１に対する回動も防止される。
【００２１】
図２に示すように、キャップ１３の内周面には一周に渡って等間隔で円形凸部１３ａが設けられており、キャップ１３をカバー体に取り付けるには、例えば、キャップ１３の円形凸部１３ａをカバー体１２の曲面部１２ｈに入れて当該円形凸部がカバー体１２のスロープ上部分１２ｃに当たる状態にしてから、キャップ１３をカバー体１２に対して時計方向に回動すればよい。
【００２２】
このとき、前述のように、カバー体１２の横型凸状部１２ｂとマウンテンカップ１１の横型凹状部１１ｂとは係合しているので、キャップ１３のカバー体１２に対する回動操作によりカバー体１２が供回り（マウンテンカップ１１に対して回動）することはない。
【００２３】
カバー体１２の回動操作にともない円形凸部１３ａはスロープ部分１２ｃに案内されて幅狭溝部１２ｄを通過する。幅狭溝部１２ｄは円形凸部１３ａの外径よりわずかに狭い態様で設けているので、当該円形凸部は節度感を操作者に与えながらこの幅狭溝部を通過して最終的には幅広溝部１２ｅに係止される。このとき円形凸部１３ａは幅広溝部１２ｅの段部１２ｆに当接しているので、キャップ１３は不用意に上方向に押されてもカバー体１２から外れることはなく、カバー体１２にキャップ１３を確実に取り付けることができる。
【００２４】
なお、円形凸部１３ａが（曲面部１２ｈではなく）水平部分１２ｇに位置している状態でキャップ１３を時計方向に回動しても、当該円形凸部は水平部分１２ｇを周方向にスライドするかたちで曲面部１２ｈに入るので、キャップ１３をカバー体１２に取り付けることができる。
【００２５】
そして、キャップ１３を反時計方向に回動すると、円形凸部１３ａが幅広溝部１２ｅから幅狭溝部１２ｄを通りスロープ部分１２ｃにガイドされながら移動して、曲面部１２ｈに位置することになる。ここからはキャップ１３を上方向にずらしてカバー体１２から取り外すことができる。
【００２６】
このときにもカバー体１２の横型凸状部１２ｂとマウンテンカップ１１の横型凹状部１１ｂとは係合しているので、キャップ１３のカバー体１２に対する回動操作によりカバー体１２が供回り（マウンテンカップ１１に対して回動）することはない。
【００２７】
図３は、図１および図２に示したマウンテンカップ１１の横型凹状部１１ｂに代えて縦型凹状部２１ｂを形成し、カバー体２２には当該縦型凹状部と係合する縦型凸状部２２ｂを設けた回動防止機構である。
【００２８】
マウンテンカップ２１およびカバー体２２のその他の構成要素は、それぞれマウンテンカップ１１およびカバー体１２と同様である。
【００２９】
そして、カバー体２２をマウンテンカップ２１に取り付けた定常状態では、
・間欠突状部２２ａがマウンテンカップの下側凹部２１ａに入り込み、
・縦型凸状部２２ｂはマウンテンカップの縦型凹状部２１ｂに入り込んで、
マウンテンカップ２１と一体化する。
【００３０】
したがって、カバー体１２のときと同じ様に、カバー体２２が不用意にマウンテンカップ２１から外れることがない。また、キャップの取付時および取外し時の回動操作にともなうカバー体２２の供回りも防止される。
【００３１】
図４は、マウンテンカップ３１の外周面にクロス方向のローレット加工３１ｂを施したものであり、当該ローレット加工によりカバー体３２の内周面３２ｂとの間の摩擦を大きくしてカバー体３２の当該マウンテンカップに対する回動を防止したものである。
【００３２】
なお、カバー体３２は既存のものであり、すなわち回動防止のための新たな構成要素を形成したものではなく、その連続突状部３２ａがマウンテンカップ３１の下側凹部３１ａに入り込んだ状態で当該マウンテンカップに取り付けられる。
【００３３】
このとき、マウンテンカップ３１の外周面のローレット加工３１ｂを施し例えば部分がカバー体３２の内周面３２ｂに当接するので両者間の摩擦は大きくなり、カバー体３２の回動作用は防止される。
【００３４】
図５（ａ）は、内周面一周に渡って備えられたマウンテンカップ取付用の既存の連続突状部４１ａの上側に、回動防止用の横型凸状部４１ｂを、図１のマウンテンカップ１１の横型凹状部１１ｂに対応するかたちで設けたカバー体４１である。
【００３５】
当該カバー体を図１のマウンテンカップ１１に取り付けると、カバー体１２の場合と同様に、連続突状部４１ａは凹部１１ａに係合し、横型凸状部４１ｂと横型凹状部１１ｂも係合するので、カバー体４１が不用意に外れることはなく、キャップを回動した際の供回り（カバー体４１のマウンテンカップ１１に対する回動）も防止される。
【００３６】
図５（ｂ）は、図５（ａ）のカバー体４１の横型凸状部４１ｂに代えて、図３のマウンテンカップ２１の横型凹状部２１ｂに対応する縦型凸状部５１ｂを設けたカバー体５１である。
【００３７】
図３のカバー体２２の場合と同様に、連続突状部５１ａと凹部２１ａの係合作用および縦型凸状部５１ｂと縦型凹状部２１ｂとの係合作用により、カバー体５１の外れや供回りが防止される。
【００３８】
なお、カバー体に設ける回動防止用の横型凸状部および縦型凸状部と、マウンテンカップに形成する横型凹状部および縦型凹状部は、両者が係合する態様であればよく、その形状や個数は任意である。
【００３９】
また、マウンテンカップ１１，２１に形成した横型凹状部１１ｂ，縦型凹状部２１ｂと、カバー体２１，２２に設けた横型凸状部１２ｂ，縦型凸状部２２ｂとの凹凸関係は逆でもよい。
【００４０】
図５（ｃ）は、図４のマウンテンカップ３１に形成したクロス方向のローレット加工３１ｂに代えて、単一方向のローレット加工６１ｂを施したものである。
【００４１】
当該マウンテンカップの凹部６１ａに、例えば図４のカバー体３２の連続突状部３２ａを係合させると、カバー体３２の内周面３２ｂがローレット加工６１ｂに当接して両者間の摩擦は大きくなるので、カバー体３２の回動作用を防止することができる。
【００４２】
以上の回動防止機構を備えた製品としては、洗浄剤，清掃剤，消臭剤，制汗剤，忌避剤（殺虫剤），医薬品，医薬部外品，冷却剤，筋肉消炎剤，化粧品，頭髪用品，染毛剤，洗濯のりなどがある。
【００４３】
容器本体に収納する内容物としては、金属塩類粉末、無機物粉末や樹脂粉末などを用いる。例えば、タルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤、金属イオン封鎖剤なども用いる。
【００４４】
エアゾール式製品の放出用ガスには、ＬＰＧ，ジメチルエーテル，フルオロカーボン，炭酸ガス，亜酸化窒素，窒素ガス，圧縮空気，酸素ガス，希ガス，これらの混合ガスなどを用いる。
【図面の簡単な説明】
【００４５】
【図１】カバー体の回動防止機構（その１）であり、（ａ）は回動防止用の横型凹状部および横型凸状部を設けたマウンテンカップとカバー体の説明図、（ｂ）は横型凹状部を形成したマウンテンカップなどの断面図である。
【図２】図１のカバー体にキャップを取り付けるときの説明図である。
【図３】カバー体の回動防止機構（その２）であり、（ａ）は回動防止用の縦型凹状部および縦型凸状部を設けたマウンテンカップとカバー体の説明図、（ｂ）は縦型凹状部を形成したマウンテンカップなどの断面図である。
【図４】カバー体の回動防止機構（その３）であり、外周面にクロス方向のローレット加工を施したマウンテンカップと既存のカバー体の説明図である。
【図５】回動防止用のカバー体とマウンテンカップの他の例であり、（ａ）は既存のマウンテンカップ係合用の連続突状部の上側に回動防止用の横型凸状部を設けたカバー体の説明図、（ｂ）は既存のマウンテンカップ係合用の連続突状部の上側に回動防止用の縦型凸状部を設けたカバー体の説明図、（ｃ）は外周面に単一方向のローレット加工を施したマウンテンカップの説明図である。
【符号の説明】
【００４６】
１１：マウンテンカップ
１１ａ：既存の凹部
１１ｂ：回動防止用の横型凹状部
１２：カバー体
１２ａ：既存の間欠突状部
１２ｂ：回動防止用の横型凸状部
１２ｃ：スロープ部分
１２ｄ：幅狭溝部
１２ｅ：幅広溝部
１２ｆ：段部
１２ｇ：水平部分
１２ｈ：曲面部
１３：キャップ
１３ａ：円形凸部
２１：マウンテンカップ
２１ａ：既存の凹部
２１ｂ：回動防止用の縦型凹状部
２２：カバー体
２２ａ：既存の間欠突状部
２２ｂ：回動防止用の縦型凸状部
２２ｃ：スロープ部分
２２ｄ：幅狭溝部
２２ｅ：幅広溝部
２２ｆ：段部
２２ｇ：水平部分
２２ｈ：曲面部
３１：マウンテンカップ
３１ａ：既存の凹部
３１ｂ：ローレット加工
３２：既存のカバー体
３２ａ：連続突状部
３２ｂ：内周面
４１：カバー体
４１ａ：連続突状部
４１ｂ：回動防止用の横型凸状部
５１：カバー体
５１ａ：連続突状部
５１ｂ：回動防止用の横型凸状部
６１：マウンテンカップ
６１ａ：既存の凹部
６１ｂ：ローレット加工
７０：容器本体
７１：ステム
７２：操作釦
【図１】
2005096859.tif 000003
【図２】
2005096859.tif 000004
【図３】
2005096859.tif 000005
【図４】
2005096859.tif 000006
【図５】
2005096859.tif 000007